【手続補正書】
【提出日】平成28年2月26日(2016.2.26)
【手続補正１】
【補正対象書類名】明細書
【補正対象項目名】００１８
【補正方法】変更
【補正の内容】
【００１８】
上記の目的を達成するため、本発明によるフリッカ検出装置は、光学像が結像されて、該光学像を光電変換する撮像素子から出力される画像信号で生じるフリッカを検出するフリッカ検出装置であって、予め定められた基準周波数に応じて前記画像信号を周波数解析処理して前記画像信号における照明強度の変化を示す照明強度変化情報をフリッカとして検出するフリッカ検出手段とを有し、前記フリッカ検出手段は、前記フリッカの周波数と前記基準周波数との誤差に応じて前記基準周波数を変更して、変更後の基準周波数に応じて前記周波数解析処理を行うことを特徴とする。
【手続補正２】
【補正対象書類名】明細書
【補正対象項目名】００１９
【補正方法】変更
【補正の内容】
【００１９】
本発明によるフリッカ補正装置は、光学像が結像されて、該光学像を光電変換する撮像素子から出力される画像信号で生じるフリッカを検出して補正するフリッカ補正装置であって、予め定められた基準周波数に応じて前記画像信号を周波数解析処理して前記画像信号における照明強度の変化を示す照明強度変化情報をフリッカとして検出するフリッカ検出手段と、前記照明強度変化情報および前記フリッカの周波数と前記基準周波数との誤差に基づいて前記フリッカ補正をするためのフリッカ補正値を生成するフリッカ補正値生成手段と、前記フリッカ補正値に基づいて前記画像信号に生じたフリッカの補正を行うフリッカ補正手段とを有することを特徴とする。
【手続補正３】
【補正対象書類名】特許請求の範囲
【補正対象項目名】全文
【補正方法】変更
【補正の内容】
【特許請求の範囲】
【請求項１】
光学像が結像されて、該光学像を光電変換する撮像素子から出力される画像信号で生じるフリッカを検出するフリッカ検出装置であって、
予め定められた基準周波数に応じて前記画像信号を周波数解析処理して前記画像信号における照明強度の変化を示す照明強度変化情報をフリッカとして検出するフリッカ検出手段とを有し、
前記フリッカ検出手段は、前記フリッカの周波数と前記基準周波数との誤差に応じて前記基準周波数を変更して、変更後の基準周波数に応じて前記周波数解析処理を行うことを特徴とするフリッカ検出装置。
【請求項２】
前記フリッカ検出手段は、単位フレームにおいてラインに垂直な方向における照明強度の変化を検出することを特徴とする請求項１に記載のフリッカ検出装置。
【請求項３】
前記フリッカ検出手段は、前記誤差が予め定められた閾値よりも大きいと、前記誤差に応じて前記基準周波数を変更することを特徴とする請求項１又は２に記載のフリッカ検出装置。
【請求項４】
前記フリッカ検出手段は基準周波数を変更する際、前記周波数解析処理におけるサンプリング数を変更することを特徴とする請求項３に記載のフリッカ検出装置。
【請求項５】
さらに、前記照明強度変化情報と時間を示す時間情報とに応じて、前記誤差を示す誤差周波数を推定する誤差推定手段とを有することを特徴とする請求項１乃至４のいずれか１項に記載のフリッカ検出装置。
【請求項６】
光学像が結像されて、該光学像を光電変換する撮像素子から出力される画像信号で生じるフリッカを検出して補正するフリッカ補正装置であって、
予め定められた基準周波数に応じて前記画像信号を周波数解析処理して前記画像信号における照明強度の変化を示す照明強度変化情報をフリッカとして検出するフリッカ検出手段と、
前記照明強度変化情報および前記フリッカの周波数と前記基準周波数との誤差に基づいて前記フリッカ補正をするためのフリッカ補正値を生成するフリッカ補正値生成手段と、
前記フリッカ補正値に基づいて前記画像信号に生じたフリッカの補正を行うフリッカ補正手段と、
を有することを特徴とするフリッカ補正装置。
【請求項７】
前記フリッカ検出手段は前記誤差に応じて前記基準周波数を変更して、変更後の基準周波数に応じて前記周波数解析処理を行うことを特徴とする請求項６に記載のフリッカ補正装置。
【請求項８】
前記フリッカ検出手段は、単位フレームにおいてラインに垂直な方向における照明強度の変化を検出することを特徴とする請求項６又は７に記載のフリッカ補正装置。
【請求項９】
前記撮像素子の電荷蓄積時間に応じて、前記誤差を前記フリッカ補正値生成手段に送るか否かを判定する判定手段を有することを特徴とする請求項６に記載のフリッカ補正装置。
【請求項１０】
前記撮像素子の電荷蓄積時間に応じて、前記誤差を前記フリッカ検出手段および前記フリッカ補正値生成手段に送るか否かを判定する判定手段を有することを特徴とする請求項７に記載のフリッカ補正装置。
【請求項１１】
前記照明強度変化情報に応じて得られるフリッカの振幅値に応じて前記誤差を前記フリッカ補正値生成手段に送るか否かを判定する判定手段を有することを特徴とする請求項６に記載のフリッカ補正装置。
【請求項１２】
前記照明強度変化情報は位相に応じて得られるフリッカの振幅値に応じて、前記フリッカ検出手段および前記誤差を前記フリッカ補正値生成手段に送るか否かを判定する判定手段を有することを特徴とする請求項７に記載のフリッカ補正装置。
【請求項１３】
さらに、前記照明強度変化情報と時間を示す時間情報とに応じて、前記誤差を示す誤差周波数を推定する誤差推定手段を有することを特徴とする請求項６乃至１２に記載のフリッカ補正装置。
【請求項１４】
前記照明強度変化情報は、前記周波数解析処理によって得られる周波数成分の位相情報であり、
前記誤差推定手段は、前記位相情報に応じて単位時間当たりの位相の変化量によって前記誤差周波数を推定することを特徴とする請求項１３に記載のフリッカ補正装置。
【請求項１５】
光学像が結像されて、該光学像を光電変換する撮像素子から出力される画像信号で生じるフリッカを検出するフリッカ検出装置の制御方法であって、
予め定められた基準周波数に応じて前記画像信号を周波数解析処理して前記画像信号における照明強度の変化を示す照明強度変化情報をフリッカとして検出するフリッカ検出ステップと、
前記フリッカの周波数と前記基準周波数との誤差に応じて前記基準周波数を変更して、変更後の基準周波数に応じて前記周波数解析処理を前記フリッカ検出ステップで行わせる変更ステップと、
を有することを特徴とする制御方法。
【請求項１６】
光学像が結像されて、該光学像を光電変換する撮像素子から出力される画像信号で生じるフリッカを検出するフリッカ検出装置で用いられる制御プログラムであって、
前記フリッカ検出装置が備えるコンピュータに、
予め定められた基準周波数に応じて前記画像信号を周波数解析処理して前記画像信号における照明強度の変化を示す照明強度変化情報をフリッカとして検出するフリッカ検出ステップと、
前記フリッカの周波数と前記基準周波数との誤差に応じて前記基準周波数を変更して、変更後の基準周波数に応じて前記周波数解析処理を前記フリッカ検出ステップで行わせる変更ステップと、
を実行させることを特徴とする制御プログラム。
【請求項１７】
光学像が結像されて、該光学像を光電変換する撮像素子から出力される画像信号で生じるフリッカを検出して補正するフリッカ補正装置の制御方法であって、
予め定められた基準周波数に応じて前記画像信号を周波数解析処理して前記画像信号における照明強度の変化を示す照明強度変化情報をフリッカとして検出するフリッカ検出ステップと、
前記照明強度変化情報および前記フリッカの周波数と前記基準周波数との誤差に基づいて前記フリッカ補正をするためのフリッカ補正値を生成するフリッカ補正値生成ステップと、
前記フリッカ補正値に基づいて前記画像信号に生じたフリッカの補正を行うフリッカ補正ステップと、
を有することを特徴とする制御方法。
【請求項１８】
光学像が結像されて、該光学像を光電変換する撮像素子から出力される画像信号で生じるフリッカを検出して補正するフリッカ補正装置で用いられる制御方法であって、
前記フリッカ補正装置が備えるコンピュータに、
予め定められた基準周波数に応じて前記画像信号を周波数解析処理して前記画像信号における照明強度の変化を示す照明強度変化情報をフリッカとして検出するフリッカ検出ステップと、
前記照明強度変化情報および前記フリッカの周波数と前記基準周波数との誤差に基づいて前記フリッカ補正をするためのフリッカ補正値を生成するフリッカ補正値生成ステップと、
前記フリッカ補正値に基づいて前記画像信号に生じたフリッカの補正を行うフリッカ補正ステップと、
を実行させることを特徴とする制御プログラム。